Podtech/llm-jp-corpus-v4-ja_patent huggingface dataset:
【手続補正書】
【提出日】平成22年2月8日(2010.2.8)
【手続補正１】
【補正対象書類名】特許請求の範囲
【補正対象項目名】請求項８
【補正方法】変更
【補正の内容】
【請求項８】
前記記憶手段は、前記ゲーム状況に代えて前記操作情報及び前記所定条件に対応付けて前記報知情報を記憶し、
前記報知制御手段は、前記判断手段によりいずれかの所定条件が満たされていると判断された場合、当該発生したゲーム状況に代えて当該発生したゲーム状況に対応する前記操作情報と当該所定条件とに対応付けて前記記憶手段に記憶されている報知情報を前記報知手段により報知させる、
ことを特徴とする請求項２〜７の何れかに記載のプログラム。
【手続補正２】
【補正対象書類名】明細書
【補正対象項目名】００３１
【補正方法】変更
【補正の内容】
【００３１】
また、請求項２〜７の何れかに記載のプログラムにおいて、前記記憶手段は、前記ゲーム状況に代えて前記操作情報及び前記所定条件に対応付けて前記報知情報を記憶し、前記報知制御手段は、前記判断手段によりいずれかの所定条件が満たされていると判断された場合、当該発生したゲーム状況に代えて当該発生したゲーム状況に対応する前記操作情報と当該所定条件とに対応付けて前記記憶手段に記憶されている報知情報を前記報知手段により報知させるとよい（請求項８）。
【手続補正３】
【補正対象書類名】明細書
【補正対象項目名】００４０
【補正方法】変更
【補正の内容】
【００４０】
しかし、プレイヤが操作コントローラ２を小刻みでなくゆっくり振ったり、水平方向でなく縦に振ったりした場合や、操作コントローラ２の持ち方が異なる場合は、別のアイテム操作方法であると判断されるので、キャラクタＡにハンドベルＢを使用させることができない。プレイヤは、操作コントローラ２の動かす速さや方向を変えてみたり、持ち方や動かし方を変えてみたりして、ハンドベルＢを使用するためのアイテム操作方法を見つけなければならない。
【手続補正４】
【補正対象書類名】明細書
【補正対象項目名】００４１
【補正方法】変更
【補正の内容】
【００４１】
本来、本ゲームは、プレイヤがこのアイテム操作方法を考えることを楽しむゲームであるが、操作コントローラ２の動かしかたや姿勢は多種多様にあるため、プレイヤが本ゲームに慣れていない場合などに、アイテム操作方法を見つけることができない場合がある。アイテム操作方法が行われないとゲームを進行することができず、ゲームを進行できない状態が長く続くと、プレイヤがゲームに対する興味を喪失してしまう可能性がある。よって、キャラクタが所定のアイテムを手にして所定の場所に来たとき等、アイテム操作入力を受け付ける所定のゲーム状況が発生したにもかかわらずプレイヤが所定時間の間、所定のアイテム操作方法を行なわないときは、アイテム操作方法が分からずに困っていると判断して、アイテム操作方法のチュートリアルを表示する。
【手続補正５】
【補正対象書類名】明細書
【補正対象項目名】００７９
【補正方法】変更
【補正の内容】
【００７９】
また、ＣＰＵ１０１は、操作信号受信部１１１及び受信装置１１を介して操作コントローラ２より受信した加速度情報から、ＲＡＭ１０２に記憶されている操作種別テーブル（図５参照）に基づいて、操作種別を判断する。また、ＣＰＵ１０１は、ゲーム状況がＲＡＭ１０２に記憶されている条件テーブル（図６参照）に設定されている所定ゲーム条件に該当したとき、すなわち所定ゲーム条件が発生したときに、対応するコメントを表示装置３の表示画面３１に表示させ、当該所定ゲーム条件が発生してからの時間を計時する。また、計時した時間が予め設定されている時間範囲に該当するか否か判断し、該当する場合は対応するヒントを表示画面３１に表示させる。なお、当該所定ゲーム条件に対応する操作種別と操作コントローラ２より受信した加速度情報から判断した操作種別とが一致した場合、所定のゲーム効果が発生される。
【手続補正６】
【補正対象書類名】明細書
【補正対象項目名】００９３
【補正方法】変更
【補正の内容】
【００９３】
操作部２０６は、操作ボタン２３が押圧されたことを、操作信号として検出する。操作ボタン２３は、プレイヤがゲーム上の場所やオブジェクト、他のキャラクタを指定するとき等に使用される。例えば、表示画面３１上に表示されているカーソルをオブジェクトに重ねて操作ボタン２３を押圧することで当該オブジェクトが指定される。なお、カーソルの位置を操作部２０６で指定する方法としては、例えば次のようなものがある。すなわち、表示画面３１の中心を指しているときの操作コントローラ２の姿勢を基準として、ゲーム装置１が入力された加速度情報に基づいて基準の姿勢からの変化から操作コントローラ２の指す方向を算出し、この方向に位置する表示画面３１上の位置にカーソルを表示する。
【手続補正７】
【補正対象書類名】明細書
【補正対象項目名】００９７
【補正方法】変更
【補正の内容】
【００９７】
図１２（ｂ）は、条件Ｂが発生したときに表示される画像を示す図である。条件Ｂが発生したことによるゲーム効果として、キャラクタＡがのこぎりＣを木Ｄにあてている画像と、図６に示す条件テーブルに条件Ｂに対応して設定されているコメントＢ「コントローラーをノコギリにみたてて使ってみよう。」とが表示画面上に表示されている。コメントは、キャラクタＡなどの画像の表示の妨げとならない、表示画面上の所定の領域（例では表示画面下部であり、当該領域を「コメント表示領域Ｇ」という。）に表示される。また、このとき条件テーブルから対応する操作種別「操作Ｂ」も取得されている。
【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
複数の記録素子を備えた記録ヘッドを記録媒体上で走査することによって画像を形成する画像形成装置であって、
画像データを入力する画像データ入力手段と、
前記記録ヘッドの主走査ごとに、前記記録素子ごとの記録量分割率を設定したテーブルを保持するテーブル保持手段と、
前記画像データに応じて、前記記録ヘッドの主走査ごとに、前記記録素子ごとの記録量を前記テーブルに基づいて設定する走査内記録量設定手段と、
前記走査内記録量設定手段で設定された記録量に対し、Ｎ値化処理（Ｎは２以上の整数）を施して形成対象となるドットパターンを作成するＮ値化手段と、
前記複数の記録素子のうち、動作不良である不良記録素子を検出する不良記録素子検出手段と、
前記不良記録素子検出手段で検出された不良記録素子へ分配されるべき記録量を、該不良記録素子と同一の主走査ラインを記録する他の記録素子に分配するよう、前記テーブルを更新する走査内記録量更新手段と、
を有することを特徴とする画像形成装置。
【請求項２】
前記走査内記録量更新手段は、前記不良記録素子へ分配されるべき記録量を、該不良記録素子と同一の主走査ラインを記録する他の複数の記録素子に分配するよう、前記テーブルを更新することを特徴とする請求項１に記載の画像形成装置。
【請求項３】
前記走査内記録量更新手段は、前記不良記録素子へ分配されるべき記録量を、該不良記録素子と同一の主走査ラインを記録する他の複数の記録素子およびその近傍の記録素子に分配するよう、前記テーブルを更新することを特徴とする請求項２に記載の画像形成装置。
【請求項４】
前記走査内記録量更新手段は、前記不良記録素子へ分配されるべき記録量を、該不良記録素子の近傍の記録素子と、該不良記録素子と同一の主走査ラインを記録する他の複数の記録素子およびその近傍の記録素子に分配するよう、前記テーブルを更新することを特徴とする請求項２に記載の画像形成装置。
【請求項５】
前記走査内記録量更新手段は、前記記録媒体上の同一領域に対する前記記録素子ごとの記録量の合計が、前記画像データの記録量と一致するように、前記テーブルを更新することを特徴とする請求項１乃至４のいずれか１項に記載の画像形成装置。
【請求項６】
前記走査内記録量更新手段は、前記テーブルに基づく出力濃度が、前記不良記録素子が存在しない場合の出力濃度と等しくなるように、前記テーブルを更新することを特徴とする請求項１乃至４のいずれか１項に記載の画像形成装置。
【請求項７】
前記テーブルは、各走査における記録素子ごとの記録量を示す情報を保持していることを特徴とする請求項１乃至６のいずれか１項に記載の画像形成装置。
【請求項８】
複数の記録素子を備えた記録ヘッドを記録媒体上で走査することによって画像を形成する画像形成装置によって実行される画像処理方法であって、
画像データ入力手段が、画像データを入力する画像入力ステップと、
走査内記録量設定手段が、前記画像データに応じて、前記記録ヘッドの主走査ごとに、前記記録素子ごとの記録量を、前記主走査ごとに前記記録素子ごとの記録量分割率を設定したテーブルに基づいて設定する走査内記録量設定ステップと、
Ｎ値化手段が、前記走査内記録量設定ステップにおいて設定された記録量に対し、Ｎ値化処理（Ｎは２以上の整数）を施して形成対象となるドットパターンを作成するＮ値化ステップと、
不良記録素子検出手段が、前記複数の記録素子のうち、動作不良である不良記録素子を検出する不良記録素子検出ステップと、
走査内記録量更新手段が、前記不良記録素子検出ステップで検出された不良記録素子へ分配されるべき記録量を、該不良記録素子と同一の主走査ラインを記録する他の記録素子に分配するよう、前記テーブルを更新する走査内記録量更新ステップと、
を有することを特徴とする画像処理方法。
【請求項９】
複数の記録素子を備えた記録ヘッドを記録媒体上で走査することによって画像を形成する画像形成装置におけるコンピュータに、
画像データを入力する画像入力ステップ、
前記画像データに応じて、前記記録ヘッドの主走査ごとに、前記記録素子ごとの記録量を、前記主走査ごとに前記記録素子ごとの記録量分割率を設定したテーブルに基づいて設定する走査内記録量設定ステップ、
前記走査内記録量設定ステップにおいて設定された記録量に対し、Ｎ値化処理（Ｎは２以上の整数）を施して形成対象となるドットパターンを作成するＮ値化ステップ、
前記複数の記録素子のうち、動作不良である不良記録素子を検出する不良記録素子検出ステップ、
前記不良記録素子検出ステップで検出された不良記録素子へ分配されるべき記録量を、該不良記録素子と同一の主走査ラインを記録する他の記録素子に分配するよう、前記テーブルを更新する走査内記録量更新ステップ、
を実行させるためのプログラム。
【手続補正２】
【補正対象書類名】明細書
【補正対象項目名】発明の名称
【補正方法】変更
【補正の内容】
【発明の名称】画像形成装置、画像処理方法およびプログラム
【手続補正３】
【補正対象書類名】明細書
【補正対象項目名】０００１
【補正方法】変更
【補正の内容】
【０００１】
本発明は画像形成装置、画像処理方法およびプログラムに関し、特に、複数の記録素子を備えた記録ヘッドを記録媒体上で走査することによって画像を形成する画像形成装置、画像処理方法およびプログラムに関する。
【手続補正４】
【補正対象書類名】明細書
【補正対象項目名】００１６
【補正方法】変更
【補正の内容】
【００１６】
本発明は上述した問題を解決するためになされたものであり、以下の機能を有する画像形成装置、画像処理方法およびプログラムを提供することを目的とする。すなわち、複数の記録素子を備えた記録ヘッドを複数領域に分割し、記録媒体上の同一領域に対して該領域単位の走査で画像を形成する際に、動作不良の記録素子による画像形成を適切に補間することを目的とする。
【手続補正５】
【補正対象書類名】明細書
【補正対象項目名】００１９
【補正方法】変更
【補正の内容】
【００１９】
本発明によれば、以下の機能を有する画像形成装置、画像処理方法およびプログラムを提供することができる。すなわち、複数の記録素子を備えた記録ヘッドを複数領域に分割し、記録媒体上の同一領域に対して該領域単位の走査で画像を形成する際に、動作不良の記録素子による画像形成を適切に補間することができる。
【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
複数の記録素子を備えた記録ヘッドを記録媒体上で走査することによって画像を形成する画像形成装置であって、
画像データを入力する画像データ入力手段と、
前記記録ヘッドの主走査ごとに、前記記録素子ごとの記録量分割率を設定したテーブルを保持するテーブル保持手段と、
前記画像データに応じて、前記記録ヘッドの主走査ごとに、前記記録素子ごとの記録量を、前記テーブルに基づいて設定する走査内記録量設定手段と、
前記走査内記録量設定手段で設定された記録量に対し、Ｎ値化処理（Ｎは２以上の整数）を施して形成対象となるドットパターンを作成するＮ値化手段と、を有し、
前記テーブルは、前記記録媒体上の同一領域に画像を形成するための主走査の回数と、主走査ごとに使用する記録素子数に基づいて作成されていることを特徴とする画像形成装置。
【請求項２】
前記走査内記録量設定手段は、前記テーブルに基づいて、前記記録ヘッドにおける前記記録素子の位置に応じて前記画像データに応じた記録量を分割することによって、前記記録素子ごとの記録量を設定することを特徴とする請求項１に記載の画像形成装置。
【請求項３】
前記走査内記録量設定手段は、前記記録媒体上の同一領域に対する前記記録素子ごとの記録量の合計が、前記画像データの記録量と一致するように、前記記録素子ごとの記録量を設定することを特徴とする請求項２に記載の画像形成装置。
【請求項４】
前記テーブルは、前記使用する記録素子数が主走査ごとに可変となるように作成されていることを特徴とする請求項１乃至３のいずれか１項に記載の画像形成装置。
【請求項５】
前記テーブルは、前記記録媒体上の同一領域に画像を形成するための主走査の回数が、前記画像データの形成領域ごとに可変となるように作成されていることを特徴とする請求項１乃至４のいずれか１項に記載の画像形成装置。
【請求項６】
前記テーブルは、前記記録媒体上の同一領域に画像を形成するための主走査の回数が、前記画像データの後端の形成領域において増加するように作成されていることを特徴とする請求項５に記載の画像形成装置。
【請求項７】
前記テーブルは、前記主走査ごとに使用する記録素子数によって決定される、主走査ごとに前記記録媒体を副走査方向へ搬送する搬送量に対し、所定の特性を付与するように作成されていることを特徴とする請求項１乃至６のいずれか１項に記載の画像形成装置。
【請求項８】
複数の記録素子を備えた記録ヘッドを記録媒体上で走査することによって画像を形成する画像形成装置によって実行される画像処理方法であって、
画像データ入力手段が、画像データを入力する画像入力ステップと、
走査内記録量設定手段が、前記画像データに応じて、前記記録ヘッドの主走査ごとに、前記記録素子ごとの記録量を、前記主走査ごとに前記記録素子ごとの記録量分割率を設定したテーブルに基づいて設定する走査内記録量設定ステップと、
Ｎ値化手段が、前記走査内記録量設定ステップにおいて設定された記録量に対し、Ｎ値化処理（Ｎは２以上の整数）を施して形成対象となるドットパターンを作成するＮ値化ステップと、を有し、
前記テーブルは、前記記録媒体上の同一領域に画像を形成するための主走査の回数と、主走査ごとに使用する記録素子数に基づいて作成されていることを特徴とする画像処理方法。
【請求項９】
複数の記録素子を備えた記録ヘッドを記録媒体上で走査することによって画像を形成する画像形成装置におけるコンピュータに、
画像データを入力する画像入力ステップ、
前記画像データに応じて、前記記録ヘッドの主走査ごとに、前記記録素子ごとの記録量を、前記主走査ごとに前記記録素子ごとの記録量分割率を設定したテーブルに基づいて設定する走査内記録量設定ステップ、
前記走査内記録量設定ステップにおいて設定された記録量に対し、Ｎ値化処理（Ｎは２以上の整数）を施して形成対象となるドットパターンを作成するＮ値化ステップ、
を実行させるためのプログラムであって、
前記テーブルは、前記記録媒体上の同一領域に画像を形成するための主走査の回数と、主走査ごとに使用する記録素子数に基づいて作成されていることを特徴とするプログラム。
【手続補正２】
【補正対象書類名】明細書
【補正対象項目名】発明の名称
【補正方法】変更
【補正の内容】
【発明の名称】画像形成装置、画像処理方法およびプログラム
【手続補正３】
【補正対象書類名】明細書
【補正対象項目名】０００１
【補正方法】変更
【補正の内容】
【０００１】
本発明は画像形成装置、画像処理方法およびプログラムに関し、特に、入力画像よりも低階調による画像形成を行う画像形成装置、画像処理方法およびプログラムに関する。
【手続補正４】
【補正対象書類名】明細書
【補正対象項目名】００１９
【補正方法】変更
【補正の内容】
【００１９】
本発明は上述した問題を解決するためになされたものであり、以下の機能を有する画像形成装置、画像処理方法およびプログラムを提供することを目的とする。すなわち、マルチパス印字において、記録素子のバラツキによる濃度ムラや記録媒体の搬送量のずれによる粒状性悪化および長周期の濃度ムラを低減し、高画質化を実現することを目的とする。
【手続補正５】
【補正対象書類名】明細書
【補正対象項目名】００２１
【補正方法】変更
【補正の内容】
【００２１】
すなわち、複数の記録素子を備えた記録ヘッドを複数の領域に分割し、記録媒体上の同一領域に対して該分割された領域単位での走査によって画像を形成する画像形成装置であって、画像データを入力する画像入力手段と、前記記録ヘッドの主走査ごとに、前記記録素子ごとの記録量分割率を設定したテーブルを保持するテーブル保持手段と、前記画像データに応じて、前記記録ヘッドの主走査ごとに、前記記録素子ごとの記録量を、前記テーブルに基づいて設定する走査内記録量設定手段と、前記走査内記録量設定手段で設定された記録量に対し、Ｎ値化処理（Ｎは２以上の整数）を施して形成対象となるドットパターンを作成するＮ値化手段と、を有し、前記テーブルは、前記記録媒体上の同一領域に画像を形成するための主走査の回数と、主走査ごとに使用する記録素子数に基づいて作成されていることを特徴とする。
【手続補正６】
【補正対象書類名】明細書
【補正対象項目名】００２２
【補正方法】変更
【補正の内容】
【００２２】
本発明によれば、マルチパス印字において、同一記録領域の主走査回数と、主走査ごとに使用する記録素子数を任意に設定することにより、以下の機能を有する画像形成装置、画像処理方法およびプログラムを提供することができる。すなわち、記録素子のバラツキによる濃度ムラや記録媒体の搬送量のずれによる粒状性悪化および長周期の濃度ムラを低減し、高画質化が実現される。
【手続補正書】
【提出日】平成21年11月17日(2009.11.17)
【手続補正１】
【補正対象書類名】明細書
【補正対象項目名】０２３０
【補正方法】変更
【補正の内容】
【０２３０】
【表２】
2008194886.tif 000001
【手続補正２】
【補正対象書類名】明細書
【補正対象項目名】０２３４
【補正方法】変更
【補正の内容】
【０２３４】
〔実施例３〕
セパレーター（１Ｓ）の非離型処理面にコロナ放電処理を施し、このコロナ放電処理面に、粘着剤組成物３を乾燥膜厚で２０μｍとなるように塗工し、粘着剤層が基材フィルムの離型処理面に当接するように巻き取り、表面保護フィルム原反を得た。この表面保護フィルム原反からサイズ２００×２００ｍｍのフィルムを切り出して、基材フィルム（１Ｓ）の上に粘着剤層を有する表面保護フィルム（Ｐ３）試料を得た。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
専用の筆記具による書き込み、および、専用の消去具による拭き取り消去が可能な書き込み面を有するホワイトボードであって、
それぞれの表面側に上記書き込み面が形成された第１および第２のボードと、これら第１および第２のボードを裏面どうしが向かい合うようにしつつ上端付近において相互回動可能に連結する連結手段とを備えており、
上記第１のボードと上記第２のボードとを上記連結手段を支点として相互回動させることにより、上記第１のボードの下端と上記第２のボードの下端とが所定の間隔を隔てて離間する拡開状態と、上記第１のボードの下端と上記第２のボードの下端とが隣接する折り畳み状態とを選択できるように構成したことを特徴とする、ホワイトボード。
【請求項２】
上記拡開状態において、一端部が上記第１のボードの裏面適部に支持され、他端部が上記第２のボードの裏面適部に支持される棚部材を備えている、請求項１に記載のホワイトボード。
【請求項３】
上記折り畳み状態において、上記棚部材を上記第１のボードと上記第２のボードとの間に収容可能である、請求項２に記載のホワイトボード。
【請求項４】
上記棚部材は、その他端部が上記第２のボードの裏面適部に回動可能に連結され、一端部が上記第１のボードの裏面適部に係止可能であり、上記折り畳み状態において、上記第２のボードの裏面に沿って折り畳み収納可能である、請求項３に記載のホワイトボード。
【請求項５】
上記棚部材と上記第２のボードとの連結が解除可能である、請求項４に記載のホワイトボード。
【請求項６】
上記第２のボードの裏面から、上記拡開状態において上記棚部材の底面を支持する支持板が突出している、請求項４または５に記載のホワイトボード。
【請求項７】
上記書き込み面は、上記第１のボードまたは上記第２のボードに接着されたビニールシートと、上記ビニールシートに積層された透明なラミネートフィルムとを含んでおり、上記ビニールシートと上記ラミネートフィルムとの間に下絵が形成されている、請求項１ないし６のいずれかに記載のホワイトボード。
【手続補正２】
【補正対象書類名】明細書
【補正対象項目名】０００９
【補正方法】変更
【補正の内容】
【０００９】
好ましい実施の形態においては、上記折り畳み状態において、上記棚部材を上記第１のボードと上記第２のボードとの間に収容可能である。より好ましくは、上記棚部材は、その他端部が上記第２のボードの裏面適部に回動可能に連結され、一端部が上記第１のボードの裏面適部に係止可能であり、上記折り畳み状態において、上記第２のボードの裏面に沿って折り畳み収納可能である。このような構成によれば、上記棚部材を収容するために余分なスペースを必要としない。
【手続補正３】
【補正対象書類名】明細書
【補正対象項目名】００１６
【補正方法】変更
【補正の内容】
【００１６】
ボード１０は、表面と裏面との間に所定の厚みを有するとともに、正面視において縦長矩形状をした樹脂製の板で形成されており、その表面側には、図２における上端付近に横方向に延びる凹部１１を有しているとともに、この凹部１１より下方に、書き込み面３０を設置するための凹部１２を有している。ボード１０の裏面側には、幅方向（図２における紙面と垂直な方向）に延びる支持板１３と、縦方向（図３における紙面と垂直な方向）に延びるリブ１４とが形成されている。支持板１３の両端付近には、図示しない孔部が形成されている。さらに、凹部１１の中央には、凹部１１よりもさらに凹んでいる取っ手１５が形成されている。この取っ手１５はホワイトボードＡを持ち上げる際に使用される。また、凹部１１の両端付近には窓部１６が２つずつ形成されている。
【手続補正４】
【補正対象書類名】明細書
【補正対象項目名】００２３
【補正方法】変更
【補正の内容】
【００２３】
このような構成のホワイトボードＡは、ボード１０とボード２０とを連結手段４０を支点として相互に回動させることにより、図１に示すような拡開状態と、図６に示すような折り畳み状態との２通りの形態をとることができる。図１の拡開状態は、ボード１０の上端とボード２０の上端とが当接することにより、ボード１０とボード２０との間隔をさらに開くことができず、なおかつ、棚部材５０によってボード１０とボード２０との間隔を狭くすることもできない状態である。このため、ホワイトボードＡは拡開状態において、ボード１０およびボード２０が固定されてずれにくくなっている。さらに、ボード１０およびボード２０の下端どうしが一定の間隔だけ離れているので、ホワイトボードＡを床面に安定して設置することができる。一方、折り畳み状態においては、支持板１３と支持板２３とが接触し、リブ１４とリブ２４とが接触している。このとき、棚部材５０は、突起部５１を支持板１３の孔部から引き抜き、支軸５３周りに回動させることによって、ボード２０の上端、支持板２３およびリブ２４によって囲まれる凹部に収容することができる。したがって、ホワイトボードＡは折り畳むことができ、かつ、内部に棚部材５０を収容できるので、保管スペースを小さくすることができる。
【手続補正５】
【補正対象書類名】明細書
【補正対象項目名】００２５
【補正方法】変更
【補正の内容】
【００２５】
さらに、ホワイトボードＡは、取っ手１５，２５を持って持ち運ぶことが容易であり、平坦な地面や床面の上であればどこでも拡開状態にして設置することができる。また、ボード１０，２０が地面または床面に対して傾いており、ボード１０，２０の両方に書き込み面３０が形成されているので、設置するのに必要な床または地面の面積に対して書き込み面３０の面積は広くなっている。
【手続補正６】
【補正対象書類名】図面
【補正対象項目名】図３
【補正方法】変更
【補正の内容】
【図３】
2008194873.tif 000001
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
樹脂基材、透明硬化膜及び無機硬質物層をこの順に積層してなる樹脂積層体であって、
前記透明硬化膜が、紫外線吸収基を含有する平均粒径が１〜２００ｎｍの有機微粒子を、Ｓｉ−Ｏ結合を有するマトリックス中に分散した膜である樹脂積層体。
【請求項２】
前記Ｓｉ−Ｏ結合を有するマトリックス中に、さらに、平均粒径が１〜２００ｎｍの無機系紫外線吸収性粒子及び／又はコロイダルシリカが分散している請求項１に記載の樹脂積層体。
【請求項３】
前記透明硬化膜のヘイズ値が１０％以下である請求項１又は２に記載の樹脂積層体。
【請求項４】
前記透明硬化膜の可視光線透過率が８０％以上である請求項１〜３のいずれかに記載の樹脂積層体。
【請求項５】
前記透明硬化膜における、前記有機微粒子の体積分率が、０．５〜７０体積％である請求項１〜４のいずれかに記載の樹脂積層体。
【請求項６】
樹脂基材上に、下記成分（１）〜（７）を含むコーティング組成物を塗布して硬化させて透明硬化膜を形成し、
前記透明硬化膜の上に、無機硬質物層を形成する樹脂積層体の製造方法。
（１）オルガノアルコキシシラン化合物又はポリオルガノアルコキシシラン化合物
（２）アミノシラン化合物
（３）エポキシシラン化合物
（４）高分子紫外線吸収剤
（５）硬化触媒
（６）ブロック化イソシアネートシラン化合物
（７）溶剤
【請求項７】
前記コーティング組成物が、さらに成分（８）無機系紫外線吸収性粒子及び／又はコロイダルシリカを含む請求項６に記載の樹脂積層体の製造方法。
【請求項８】
下記成分（１）〜（７）を用いてコーティング組成物を製造し、
樹脂基材上に、前記コーティング組成物を塗布して硬化させて透明硬化膜を形成し、
前記透明硬化膜の上に、無機硬質物層を形成する樹脂積層体の製造方法。
（１）オルガノアルコキシシラン化合物又はポリオルガノアルコキシシラン化合物
（２）アミノシラン化合物
（３）エポキシシラン化合物
（４）高分子紫外線吸収剤
（５）硬化触媒
（６）ブロック化イソシアネートシラン化合物
（７）溶剤
【請求項９】
下記成分（１）〜（８）を用いてコーティング組成物を製造し、
樹脂基材上に、前記コーティング組成物を塗布して硬化させて透明硬化膜を形成し、
前記透明硬化膜の上に、無機硬質物層を形成する樹脂積層体の製造方法。
（１）オルガノアルコキシシラン化合物又はポリオルガノアルコキシシラン化合物
（２）アミノシラン化合物
（３）エポキシシラン化合物
（４）高分子紫外線吸収剤
（５）硬化触媒
（６）ブロック化イソシアネートシラン化合物
（７）溶剤
（８）無機系紫外線吸収性粒子及び／又はコロイダルシリカ
【請求項１０】
請求項６〜９のいずれかに記載の製造方法により製造される樹脂基材、透明硬化膜、無機硬質物層をこの順に積層してなる樹脂積層体。
【請求項１１】
前記透明硬化膜に含まれる無機成分由来の酸化物換算重量が、前記透明硬化膜の全重量の３０〜８０重量％である請求項１〜５及び１０のいずれかに記載の樹脂積層体。
【請求項１２】
前記無機硬質物層が化学気相成長法により成膜してなる請求項１〜５、１０及び１１のいずれかに記載の樹脂積層体。
【請求項１３】
前記無機硬質物層が物理気相成長法により成膜してなる請求項１〜５、１０及び１１のいずれかに記載の樹脂積層体。
【請求項１４】
前記無機硬化物層が、ＳｉＯｘ（１．８≦ｘ≦２）膜、ＳｉＮｙ（１．２≦ｙ≦４／３）膜又はアモルファス状炭素膜である請求項１〜５及び１０〜１３のいずれかに記載の樹脂積層体。
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
発射装置により発射された遊技球が流下可能な遊技領域を有する遊技盤と、該遊技盤の遊技領域の所定位置に配設された始動口と、前記遊技盤の後側に装着され、かつ、前記始動口に遊技球が入球したことに基づいて遊技の進行を制御するマイクロプロセッサが実装された主制御基板と、前記遊技盤の遊技領域のほぼ中央位置に配設され、かつ、前記主制御基板に実装されたマイクロプロセッサの制御により入賞口が開放されて遊技球を受け入れ可能となるセンター役物と、を備えるパチンコ機であって、
前記センター役物は、少なくとも、
前記入賞口の開放時に受け入れた遊技球を下流側に向けて転動するよう案内する案内通路と、
該案内通路を転動した遊技球を、遊技者に有利な特別遊技状態に移行する特定出口又は遊技者に有利とならない通常遊技状態に移行する普通出口のいずれか一方に振り分ける振分装置と、
を備え、
前記振分装置は、少なくとも、
前記特定出口を通過した遊技球を検出する特定出口球通過センサと、
円板状の形状を有し、かつ、その円周に沿って、前記特定出口に誘導する特定ポケット及び前記普通出口に誘導する普通ポケットがそれぞれ複数設けられ、回転体モータの回転が伝達されて回転する回転体と、
前記案内通路を転動した遊技球を、前記特定ポケット又は前記普通ポケットのいずれか一方に送り出す遊技球搬入装置と、
を備え、
前記遊技球搬入装置は、少なくとも、
前記案内通路を転動した遊技球を受け入れる受入位置から前記特定ポケット又は前記普通ポケットのいずれか一方に遊技球を送り出す投入位置までの間を往復移動する搬入片と、
該搬入片が取り付けられたリンクアームを、そのリンク軸を回転軸として回転させるソレノイドと、
を備え、前記ソレノイドに駆動信号が入力されていないときには前記リンクアームの回転により前記搬入片が前記投入位置に移動する一方、前記ソレノイドに駆動信号が入力されているときには前記リンクアームの回転により前記搬入片が前記受入位置に移動し、
前記主制御基板に実装されたマイクロプロセッサは、電源投入時、少なくとも、
前記ソレノイドへの駆動信号を出力停止する出力停止制御手段と、
前記特定出口球通過センサからの検出信号を無効にする検出信号無効化制御手段と、
を備え、前記出力停止制御手段による前記ソレノイドへの駆動信号が出力停止されることによって前記搬入片が前記投入位置に移動することを特徴とするパチンコ機。
【請求項２】
発射装置により発射された遊技球が流下可能な遊技領域を有する遊技盤と、該遊技盤の遊技領域の所定位置に配設された始動口と、前記遊技盤の後側に装着され、かつ、前記始動口に遊技球が入球したことに基づいて遊技の進行を制御するマイクロプロセッサが実装された主制御基板と、前記遊技盤の遊技領域のほぼ中央位置に配設され、かつ、前記主制御基板に実装されたマイクロプロセッサの制御により入賞口が開放されて遊技球を受け入れ可能となるセンター役物と、を備えるパチンコ機であって、
前記センター役物は、少なくとも、
前記入賞口の開放時に受け入れた遊技球を下流側に向けて転動するよう案内する案内通路と、
該案内通路を転動した遊技球を、電源投入時のみ球排出用出口に振り分けるとともにその後、遊技者に有利な特別遊技状態に移行する特定出口又は遊技者に有利とならない通常遊技状態に移行する普通出口のいずれか一方に振り分ける振分装置と、
を備え、
前記振分装置は、少なくとも、
円板状の形状を有し、かつ、その円周に沿って、前記特定出口に誘導する特定ポケット及び前記普通出口に誘導する普通ポケットがそれぞれ複数設けられ、回転体モータの回転が伝達されて回転する回転体と、
前記案内通路を転動した遊技球を、前記特定ポケット又は前記普通ポケットのいずれか一方に送り出す遊技球搬入装置と、
を備え、
前記遊技球搬入装置は、少なくとも、
前記案内通路を転動した遊技球を受け入れる受入位置から前記特定ポケット又は前記普通ポケットのいずれか一方に遊技球を送り出す投入位置までの間を往復移動する搬入片と、
該搬入片が取り付けられたリンクアームを、そのリンク軸を回転軸として回転させるソレノイドと、
を備え、前記ソレノイドに駆動信号が入力されていないときには前記リンクアームの回転により前記搬入片が前記投入位置に移動する一方、前記ソレノイドに駆動信号が入力されているときには前記リンクアームの回転により前記搬入片が前記受入位置に移動し、
前記主制御基板に実装されたマイクロプロセッサは、電源投入時、少なくとも、
前記ソレノイドへの駆動信号を出力停止する出力停止制御手段と、
該出力停止制御手段で前記ソレノイドへの駆動信号が出力停止されることにより前記搬入片が前記投入位置に移動して前記特定ポケットに送り込まれた遊技球が前記球排出用出口に流入するよう前記回転体モータの回転方向を制御する回転方向制御手段と、
を備えることを特徴とするパチンコ機。
【手続補正２】
【補正対象書類名】明細書
【補正対象項目名】００２４
【補正方法】変更
【補正の内容】
【００２４】
本発明の請求項１，２においては、電力の供給を故意に制御して搬入片の停留状態を不正に制御する行為を防止することができる。
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
六価クロムフリーめっき鋼板を絞り加工に付し、絞りによる凹部の外周に沿ってフランジ部を形成した半体を一対形成し、この一対の半体を夫々の凹部が内面側で対面し、かつ夫々のフランジ部を対向当接せしめ、この対向当接されたフランジ部に沿って溶接し、溶接ビームは三角形を描きながらフランジ部に沿って移動させることを特徴とする燃料タンク製造方法。
【請求項２】
請求項１に記載の発明において、対向当接されたフランジ部に沿って溶接を行う際の溶接ビームの移動は隣接する山形部分がその接続部において折り重ねられた鋸歯形状をなすように行われることを特徴とする燃料タンク製造方法。
【請求項３】
六価クロムフリーめっき鋼板より絞り加工され、絞りによる凹部の外周に沿ってフランジ部を形成した一対の半体が夫々の凹部が内面側で対面するように夫々のフランジ部が対向当接せしめられ、この対向当接されたフランジ部に沿った溶接部を備え、溶接部は溶接ビームを当接フランジ部に沿って三角形を描きながら移動させることにより得られることを特徴とする燃料タンク。
【請求項４】
六価クロムフリーめっき鋼板より絞り加工され、絞りによる凹部の外周に沿ってフランジ部を形成した一対の半体が夫々の凹部が内面側で対面するように夫々のフランジ部が対向当接せしめられ、この対向当接されたフランジ部に沿った溶接部を備え、溶接部は隣接する山形部分がその接続部で折り重ねられた鋸歯形状をなす燃料タンク。
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
基材とエッチング保護膜とを接着する接着工程と、
前記基材の前記エッチング保護膜に覆われていない領域をエッチングするエッチング工程と、
前記エッチング保護膜にレーザ光を集光することによって、前記エッチング保護膜のレーザ光が集光された領域を除去する保護膜除去工程と、
前記保護膜除去工程にて前記エッチング保護膜から露出した前記基材の領域にレーザ光を集光することによって、前記基材に改質領域を形成する改質領域形成工程と、
前記基材を前記改質領域に沿って分割する分割工程と、を有することを特徴とする基材の分割方法。
【請求項２】
前記基材と前記エッチング保護膜とを接着する接着領域は、前記基材の外周部であることを特徴とする請求項１に記載の基材の分割方法。
【請求項３】
前記エッチング工程と保護膜除去工程との間に、前記基材の前記エッチング保護膜に覆われていない領域に液滴吐出ヘッドを構成する要素が形成された基板を接合する基板接合工程を有することを特徴とする請求項１又は２に記載の基材の分割方法。
【請求項４】
前記エッチング保護膜は樹脂材料を含み、前記保護膜除去工程において、炭酸ガスレーザ、又はＮｄ：ＹＡＧ−ＳＨＧレーザを用いることを特徴とする請求項１乃至３のいずれか一項に記載の基材の分割方法。
【請求項５】
前記エッチング保護膜は樹脂材料を含み、前記保護膜除去工程において、Ｎｄ：ＹＡＧ−ＴＨＧレーザ、又はＮｄ：ＹＡＧ−ＦＨＧレーザを用いることを特徴とする請求項１乃至３のいずれか一項に記載の基材の分割方法。
【請求項６】
前記保護膜除去工程において、レーザマーカを用いてレーザ光の光軸の方向を変動させることを特徴とする請求項１乃至５のいずれか一項に記載の基材の分割方法。
【請求項７】
前記改質領域形成工程において、前記改質領域の列を形成することを特徴とする請求項１乃至６のいずれか一項に記載の基材の分割方法。
【請求項８】
前記基材は単結晶シリコンからなり、前記改質領域形成工程において、Ｎｄ：ＹＡＧ基本波レーザを用いることを特徴とする請求項１乃至７のいずれか一項に記載の基材の分割方法。
【請求項９】
基材の一方の面にエッチング保護膜を接着する接着工程と、
前記基材の他方の面をエッチングすることによって、前記基材に封止実装基板を形成するエッチング工程と、
前記エッチング保護膜の前記封止実装基板に接する部分を除去する第一保護膜除去工程と、
前記一方の面に弾性シートを接合し、前記他方の面に流路形成基板及びノズルプレートを接合する基板接合工程と、
前記基材に残留する前記エッチング保護膜にレーザ光を集光することによって、前記エッチング保護膜のレーザ光が集光された領域を除去する第二保護膜除去工程と、
第二保護膜除去工程にて前記エッチング保護膜から露出した前記基材の領域にレーザ光を集光することによって、前記基材に改質領域を形成する改質領域形成工程と、
前記基材を前記改質領域に沿って分割する分割工程と、を有することを特徴とする液滴吐出ヘッドの製造方法。
【手続補正２】
【補正対象書類名】明細書
【補正対象項目名】発明の名称
【補正方法】変更
【補正の内容】
【発明の名称】基材の分割方法、及び液滴吐出ヘッドの製造方法。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
ブラジャーを乾す際に用いられるブラジャー用ハンガーにおいて、
ブラジャーのカップ部分が被せられることにより該カップ部分の立体的形状を保持して形崩れを少なくする２つの椀部と、
該２つの椀部の盛り上がり部分を上方に指向させて上記２つの碗部を支持する支持部と、
該支持部の両端部が取付けられ、上記ブラジャーのカップ部分を上記椀部に被せた状態で該ブラジャーを吊り下げるハンガー本体と、を備えたことを特徴とするブラジャー用ハンガー。
【請求項２】
上記支持部はバー状をなし、上記２つの椀部を支持する部分が両端部に対して横方向にオフセットされている請求項１記載のブラジャー用ハンガー。
【請求項３】
上記２つの椀部が上記支持部に着脱可能に支持されている請求項１又は２記載のブラジャー用ハンガー。
【請求項４】
上記支持部が上記ハンガー本体に着脱可能に取付けられている請求項１記載のブラジャー用ハンガー。
【請求項５】
上記椀部には通気用の穴又はスリットが形成されている請求項１ないし３のいずれかに記載のブラジャー用ハンガー。
【請求項６】
２つの椀部の盛り上がり部分を上方に指向させて２つの碗部を支持する支持部と、該支持部の両端部が取付けられ、上記ブラジャーのカップ部分を上記椀部に被せた状態で該ブラジャーを吊り下げるハンガー本体とを備えたブラジャー用ハンガーに用いられるブラジャー用ホルダーであって、
ブラジャーのカップ部分が被せられることにより該カップ部分の立体的形状を保持して形崩れを少なくする２つの椀部と、
該２つの椀部の間を相互に連結する連結片部と、
該連結片部に設けられ、上記ブラジャーのカップ部分の間の部分が引っ掛けられるフックと、
を備えたことを特徴とするブラジャー用ホルダー。
【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
特別図柄表示部に可変表示される特別図柄の表示結果があらかじめ定められた特定表示態様となったときに遊技者に有利な遊技状態に制御可能な遊技機であって、
遊技の進行を制御する遊技制御手段と、少なくとも前記特別図柄表示部と装飾図柄を表示する複数の装飾図柄表示部とを有する可変表示装置と、前記可変表示装置の表示状態を制御する可変表示制御手段とを備え、
前記可変表示制御手段は、前記特別図柄表示部に特別図柄を可変表示する制御を行う特別図柄表示制御手段と、前記特別図柄表示部に表示可能な表示内容よりも多い種類の表示内容を前記装飾図柄表示部に表示可能な装飾図柄表示制御手段とを含み、
前記遊技制御手段は、可変表示開始の条件の成立にもとづいて特別図柄の可変表示時間を特定可能なコマンドを前記可変表示制御手段に送出し、
前記可変表示制御手段は、前記遊技制御手段からの前記コマンドを受信し、前記特別図柄表示制御手段を用いて特別図柄を可変表示させるとともに前記装飾図柄表示制御手段を用いて装飾図柄を可変表示させ、前記特別図柄表示部の表示結果と前記装飾図柄表示部の表示結果とが整合するように可変表示制御し、受信した前記コマンドで特定された前記可変表示時間があらかじめ決められている短縮時間である場合には該可変表示時間が経過したときに前記複数の装飾図柄表示部において同時に装飾図柄を停止表示する
ことを特徴とする遊技機。
【手続補正２】
【補正対象書類名】明細書
【補正対象項目名】００１０
【補正方法】変更
【補正の内容】
【００１０】
本発明による遊技機は、特別図柄表示部に可変表示される特別図柄の表示結果があらかじめ定められた特定表示態様となったときに遊技者に有利な遊技状態に制御可能な遊技機であって、遊技の進行を制御する遊技制御手段と、少なくとも特別図柄表示部と装飾図柄を表示する複数の装飾図柄表示部とを有する可変表示装置と、可変表示装置の表示状態を制御する可変表示制御手段とを備え、可変表示制御手段が、特別図柄表示部に特別図柄を可変表示する制御を行う特別図柄表示制御手段と、特別図柄表示部に表示可能な表示内容よりも多い種類の表示内容を装飾図柄表示部に表示可能な装飾図柄表示制御手段とを含み、遊技制御手段が、可変表示開始の条件の成立にもとづいて特別図柄の可変表示時間を特定可能なコマンドを可変表示制御手段に送出し、可変表示制御手段が、遊技制御手段からのコマンドを受信し、特別図柄表示制御手段を用いて特別図柄を可変表示させるとともに装飾図柄表示制御手段を用いて装飾図柄を可変表示させ、特別図柄表示部の表示結果と装飾図柄表示部の表示結果とが整合するように可変表示制御し、受信したコマンドで特定された可変表示時間があらかじめ決められている短縮時間である場合には該可変表示時間が経過したときに複数の装飾図柄表示部において同時に装飾図柄を停止表示するように構成されている。
【手続補正３】
【補正対象書類名】明細書
【補正対象項目名】００１１
【補正方法】変更
【補正の内容】
【００１１】
本発明によれば、遊技機を、遊技制御手段が、可変表示開始の条件の成立にもとづいて特別図柄の可変表示時間を特定可能なコマンドを可変表示制御手段に送出し、可変表示制御手段が、遊技制御手段からのコマンドを受信し、特別図柄表示制御手段を用いて特別図柄を可変表示させるとともに装飾図柄表示制御手段を用いて装飾図柄を可変表示させ、特別図柄表示部の表示結果と装飾図柄表示部の表示結果とが整合するように可変表示制御し、受信したコマンドで特定された可変表示時間があらかじめ決められている短縮時間である場合には該可変表示時間が経過したときに複数の装飾図柄表示部において同時に装飾図柄を停止表示するように構成したので、表示演出を豊富にするとともに、表示演出を豊富にしても遊技制御手段から可変表示制御手段に送出されるコマンド数が増加することのない遊技機を提供できる効果がある。
【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
遊技盤の遊技領域に遊技球を発射して遊技が行なわれ、遊技者に有利な大当り遊技状態に制御可能な弾球遊技機であって、
遊技演出を複数種類の演出態様のうちより遊技者からの演出態様指示にもとづいて選択する演出を実行する演出実行手段を備え、
前記演出実行手段は、
遊技者からの前記演出態様指示を検出する指示検出手段と、
所定の受付期間中に前記指示検出手段が検出した前記演出態様指示を受付けることが可能な指示受付手段と、
前記指示受付手段が前記所定の受付期間に受付けた前記演出態様指示に対応した演出態様を、実行する演出態様として決定する演出態様決定手段とを含み、
前記演出態様決定手段は、前記所定の受付期間内に前記演出態様指示がなかったときには、前記演出態様指示がなかったときに対応した所定の演出態様を前記実行する演出態様とする決定を行ない、
前記演出態様指示があったときとなかったときとのいずれでも、前記演出態様決定手段により決定された演出態様の実行タイミングは同じであることを特徴とする、弾球遊技機。
【手続補正２】
【補正対象書類名】明細書
【補正対象項目名】０００６
【補正方法】変更
【補正の内容】
【０００６】
（１）  遊技盤（遊技盤６）の遊技領域（遊技領域７）に遊技球（パチンコ玉）を発射して遊技が行なわれ、遊技者に有利な大当り遊技状態に制御可能な弾球遊技機（パチンコ遊技機１）であって、
遊技演出を複数種類の演出態様（たとえば、図柄，キャラクタ，背景，演出のストーリー等）のうちより遊技者からの演出態様指示（たとえば、演出態様の選択）にもとづいて選択する演出を実行する演出実行手段（図３０参照）を備え、
該演出実行手段は、
遊技者からの前記演出態様指示を検出する指示検出手段（たとえば、光センサ６１，６２，６３等）と、
所定の受付期間中（図３０のＳＱ１８，ＳＱ１９参照）に前記指示検出手段が検出した前記演出態様指示を受付けることが可能な指示受付手段（図３０のＳＱ０２，ＳＱ０５参照）と、
前記指示受付手段が前記所定の受付期間に受付けた前記演出態様指示に対応した演出態様を、実行する演出態様として決定する演出態様決定手段（図３０のＳＱ２０等参照）とを含み、
前記演出態様決定手段は、前記所定の受付期間内に前記演出態様指示がなかったときには、前記演出態様指示がなかったときに対応した所定の演出態様（図３０のＳＱ０４等参照）を前記実行する演出態様とする決定を行ない、
前記演出態様指示があったときとなかったときとのいずれでも、前記演出態様決定手段により決定された演出態様の実行タイミングは同じである（図３６のＳＵ２０、ＳＵ２２）。
【手続補正３】
【補正対象書類名】明細書
【補正対象項目名】０００７
【補正方法】変更
【補正の内容】
【０００７】
上述の構成によれば、所定の受付期間内に遊技者からの演出態様指示がなされなかった場合には、演出態様指示がなかったときに対応した所定の演出態様を実行する演出態様に決定し、その演出態様により演出が行なわれる。これにより、遊技者からの演出態様指示がないことによるエラー発生を事前に防止することができる。また、遊技者からの演出態様指示がないときに演出態様をランダムに自動選択させる制御を新たに設ける必要が無く制御負担を格段に軽減させることができる。また、演出態様指示があったときとなかったときとのいずれでも、演出態様決定手段により決定された演出態様の実行タイミングは同じである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示部を備え、該可変表示部に特定表示結果が導出表示されたときに遊技者にとって有利な特定遊技状態に制御する遊技機であって、
遊技の進行を制御する遊技制御手段と、
遊技機に設けられている電気部品としての発光部品、音発生部品および前記可変表示部を制御する演出制御手段と、
遊技媒体を検出するための遊技媒体検出手段に供給される電圧よりも高い所定電源電圧の電圧低下を検出して、電源断の発生を検出したときに検出信号を出力する電源監視手段と、を備え、
前記遊技制御手段は、
前記電源監視手段からの検出信号に応じて所定の電力供給停止時処理を実行し、
前記発光部品、前記音発生部品および前記可変表示部のうちの複数を制御することを示すコマンドを前記演出制御手段に出力するコマンド出力手段を含み、
前記演出制御手段は、該コマンド出力手段から出力されたコマンドにもとづいて、前記発光部品、前記音発生部品および前記可変表示部のうちの複数を制御可能であり、
前記コマンド出力手段は、識別情報の可変表示を開始させるときにのみ前記可変表示部における識別情報の可変表示を開始してから表示結果を導出表示するまでの可変表示時間を特定可能なコマンドを出力するとともに、前記可変表示時間が経過したときに識別情報の停止を示すコマンドを出力する
ことを特徴とする遊技機。
【手続補正２】
【補正対象書類名】明細書
【補正対象項目名】０００９
【補正方法】変更
【補正の内容】
【０００９】
本発明による遊技機は、各々を識別可能な複数種類の識別情報の可変表示を行い表示結果を導出表示する可変表示部を備え、該可変表示部に特定表示結果が導出表示されたときに遊技者にとって有利な特定遊技状態に制御する遊技機であって、遊技の進行を制御する遊技制御手段と、遊技機に設けられている電気部品としての発光部品、音発生部品および可変表示部を制御する演出制御手段と、遊技媒体を検出するための遊技媒体検出手段に供給される電圧よりも高い所定電源電圧の電圧低下を検出して、電源断の発生を検出したときに検出信号を出力する電源監視手段と、を備え、遊技制御手段は、電源監視手段からの検出信号に応じて所定の電力供給停止時処理を実行し、発光部品、音発生部品および可変表示部のうちの複数を制御することを示すコマンドを演出制御手段に出力するコマンド出力手段を含み、演出制御手段は、該コマンド出力手段から出力されたコマンドにもとづいて、発光部品、音発生部品および可変表示部のうちの複数を制御可能であり、コマンド出力手段は、識別情報の可変表示を開始させるときにのみ可変表示部における識別情報の可変表示を開始してから表示結果を導出表示するまでの可変表示時間を特定可能なコマンドを出力するとともに、可変表示時間が経過したときに識別情報の停止を示すコマンドを出力することを特徴とする。
【手続補正３】
【補正対象書類名】明細書
【補正対象項目名】００１０
【補正方法】変更
【補正の内容】
【００１０】
本発明によれば、遊技機を、遊技機に設けられている電気部品としての発光体、音発生部品および可変表示部を制御する演出制御手段を備え、遊技制御手段が、発光部品、音発生部品および可変表示部のうちの複数を制御することを示すコマンドを演出制御手段に出力するコマンド出力手段を含むように構成したので、演出制御手段が遊技制御手段とは独立して設けられている場合に、遊技制御手段の制御コマンド送出の負担を増大させないようにすることができる。